【手続補正書】
【提出日】平成17年1月25日(2005.1.25)
【手続補正１】
【補正対象書類名】明細書
【補正対象項目名】特許請求の範囲
【補正方法】変更
【補正の内容】
【特許請求の範囲】
【請求項１】
グラフィカル・ユーザ・インタフェースを介するユーザとの対話を通じて、ユーザが希望する金型部品種並びに寸法値を有する金型部品に相当する金型部品発注用情報を生成する金型部品の電子カタログ装置であって、
予め決められた１若しくは２以上の属性項目に関する属性値と、予め決められた１若しくは２以上の部品部位のそれぞれに関してユーザが選択し得る寸法値とを、一連の金型部品種のそれぞれ毎に記憶させた部品ライブラリと、
部品ライブラリから読み出された各属性項目に関する属性値に基づいてユーザに対して各属性項目に関する属性値選択候補を提示すると共に、各属性項目毎に選択候補の中からユーザにより選択された属性値の組み合わせに基づいて部品ライブラリを検索することにより、ユーザの希望する金型部品種を決定する金型部品種決定手段と、
決定された金型部品種について、部品ライブラリから読み出された各部品部位に関する寸法値に基づいてユーザに対して各部品部位に関する寸法値選択候補を提示すると共に、各部品部位毎に寸法値選択候補の中からユーザにより選択された寸法値を各部品部位毎にユーザの希望する寸法値として特定する寸法値決定手段と、
金型部品種決定手段にて決定された金型部品種と寸法値決定手段にて決定された寸法値とに基づいて金型部品発注用情報を生成する発注用情報生成手段と、を具備し、
寸法値決定手段には、
１の部品部位に関してユーザの希望する寸法値条件を受け付ける手段と、
部品ライブラリに記憶された当該１の部品部位に関する寸法値を、ユーザの希望する寸法値条件と照合する手段と、
ユーザの希望する寸法値条件と合致しない寸法値を寸法値選択候補としての提示対象から除外する手段と、が含まれており、
それにより、ユーザの希望を加味して寸法値選択候補の提示を行う、ことを特徴とする金型部品の電子カタログ装置。
【請求項２】
寸法値条件には、寸法値の最大値及び／又は最小値が含まれている、ことを特徴とする請求項１に記載の金型部品の電子カタログ装置。
【請求項３】
寸法値条件には、選択候補を探索するためのピッチが含まれている、ことを特徴とする請求項１または２に記載の金型部品の電子カタログ装置。
【請求項４】
寸法値条件には、表示個数の上限が更に含まれている、ことを特徴とする請求項１乃至３の何れかに記載の金型部品の電子カタログ装置。
【請求項５】
グラフィカル・ユーザ・インタフェースを介するユーザとの対話を通じて、ユーザが希望する金型部品種並びに寸法値を有する金型部品に相当する金型部品発注用情報を生成する金型部品の電子カタログ装置であって、
予め決められた１若しくは２以上の属性項目に関する属性値と、予め決められた１若しくは２以上の部品部位のそれぞれに関してユーザが選択し得る寸法値とを、一連の金型部品種のそれぞれ毎に記憶させた部品ライブラリと、
部品ライブラリから読み出された各属性項目に関する属性値に基づいてユーザに対して各属性項目に関する属性値選択候補を提示すると共に、各属性項目毎に選択候補の中からユーザにより選択された属性値の組み合わせに基づいて部品ライブラリを検索することにより、ユーザの希望する金型部品種を決定する金型部品種決定手段と、
決定された金型部品種について、部品ライブラリから読み出された各部品部位に関する寸法値に基づいてユーザに対して各部品部位に関する寸法値選択候補を提示すると共に、各部品部位毎に寸法値選択候補の中からユーザにより選択された寸法値を各部品部位毎にユーザの希望する寸法値として特定する寸法値決定手段と、
金型部品種決定手段にて決定された金型部品種と寸法値決定手段にて決定された寸法値とに基づいて金型部品発注用情報を生成する発注用情報生成手段と、を具備し、
寸法値決定手段には、
１の部品部位に関するユーザからの寸法値選択候補の提示要求を受け付ける手段と、
当該提示要求があったとき、その部品部位の寸法値と相関のある他の部品部位の決定済寸法値をそれらの部品部位の寸法値相互関係を規定する条件式に当て嵌めて、当該寸法値選択候補の提示要求があった部品部位の寸法値条件を導き出す手段と、
部品ライブラリに記憶された当該１の寸法部位に関する寸法値を、前記条件式から導き出された寸法値条件と照合する手段と、
当該寸法値条件と合致しない寸法値を寸法値選択候補としての提示対象から除外する手段と、が含まれており、
それにより、他の部品部位の決定済寸法値を加味して寸法値選択候補の提示を行う、ことを特徴とする金型部品の電子カタログ装置。
【請求項６】
条件式には、金型部品の製作限界に起因する条件式が含まれる、ことを特徴とする請求項５に記載の金型部品の電子カタログ装置。
【請求項７】
グラフィカル・ユーザ・インタフェースを介するユーザとの対話を通じて、ユーザが希望する金型部品種並びに寸法値を有する金型部品に相当する金型部品発注用情報を生成する金型部品の電子カタログ装置であって、
予め決められた１若しくは２以上の属性項目に関する属性値と、予め決められた１若しくは２以上の部品部位のそれぞれに関してユーザが選択し得る寸法値とを、一連の金型部品種のそれぞれ毎に記憶させた部品ライブラリと、
部品ライブラリから読み出された各属性項目に関する属性値に基づいてユーザに対して各属性項目に関する属性値選択候補を提示すると共に、各属性項目毎に選択候補の中からユーザにより選択された属性値の組み合わせに基づいて部品ライブラリを検索することにより、ユーザの希望する金型部品種を決定する金型部品種決定手段と、
決定された金型部品種について、部品ライブラリから読み出された各部品部位に関する寸法値に基づいてユーザに対して各部品部位に関する寸法値選択候補を提示すると共に、各部品部位毎に寸法値選択候補の中からユーザにより選択された寸法値を各部品部位毎にユーザの希望する寸法値として特定する寸法値決定手段と、
金型部品種決定手段にて決定された金型部品種と寸法値決定手段にて決定された寸法値とに基づいて金型部品発注用情報を生成する発注用情報生成手段と、を具備し、
寸法値決定手段には、
１の部品部位に関してユーザの希望する寸法値条件を受け付ける手段と、
当該１の部品部位に関する寸法値選択候補の提示要求があったとき、その部品部位の寸法値と相関のある他の部品部位の決定済寸法値をそれらの部品部位の寸法値相互関係を規定する条件式に当て嵌めて、当該寸法値選択候補の提示要求があった部品部位の寸法値条件を導き出す手段と、
部品ライブラリに記憶された当該１の寸法部位に関する寸法値を、前記受け付けられた寸法値条件並びに前記条件式から導き出された寸法値条件のそれぞれと照合する手段と、
それら寸法値条件と合致しない寸法値を寸法値選択候補としての提示対象から除外する手段と、が含まれており、
それにより、他の部品部位の決定済寸法値並びにユーザの希望を加味して寸法値選択候補の提示を行う、ことを特徴とする金型部品の電子カタログ装置。
【請求項８】
条件式には、金型部品の製作限界に起因する条件式が含まれる、ことを特徴とする請求項７に記載の金型部品の電子カタログ装置。
【請求項９】
寸法値条件には、寸法値の最大値及び／又は最小値が含まれている、ことを特徴とする請求項７又は８に記載の金型部品の電子カタログ装置。
【請求項１０】
寸法値条件には、選択候補を探索するためのピッチが含まれている、ことを特徴とする請求項７乃至９の何れかに記載の金型部品の電子カタログ装置。
【請求項１１】
寸法値条件には、表示個数の上限が更に含まれている、ことを特徴とする請求項７乃至１０の何れかに記載の金型部品の電子カタログ装置。
【請求項１２】
グラフィカル・ユーザ・インタフェースを介するユーザとの対話を通じて、ユーザが希望する金型部品種並びに寸法値を有する金型部品に相当する金型部品発注用情報を生成する金型部品の電子カタログ装置であって、
予め決められた１若しくは２以上の属性項目に関する属性値と、予め決められた１若しくは２以上の部品部位のそれぞれに関してユーザが選択し得る寸法値とを、一連の金型部品種のそれぞれ毎に記憶させた部品ライブラリと、
部品ライブラリから読み出された各属性項目に関する属性値に基づいてユーザに対して各属性項目に関する属性値選択候補を提示すると共に、各属性項目毎に選択候補の中からユーザにより選択された属性値の組み合わせに基づいて部品ライブラリを検索することにより、ユーザの希望する金型部品種を決定する金型部品種決定手段と、
決定された金型部品種について、部品ライブラリから読み出された各部品部位に関する寸法値に基づいてユーザに対して各部品部位に関する寸法値選択候補を提示すると共に、各部品部位毎に寸法値選択候補の中からユーザにより選択された寸法値を各部品部位毎にユーザの希望する寸法値として特定する寸法値決定手段と、
金型部品種決定手段にて決定された金型部品種と寸法値決定手段にて決定された寸法値とに基づいて金型部品発注用情報を生成する発注用情報生成手段と、を具備し、
１の金型部品に関する複数箇所の部品部位の中から、任意の２箇所の部品部位の指定をユーザから受け付ける手段と、
指定された２箇所の部品部位の寸法値を変数、残りの部品部位の寸法値を定数として、それらの２箇所の部品部位の採りうる値の組み合わせで決まる部品価格を複数通り求める手段と、
求められた複数通りの部品価格を指定された２箇所の部品部位を直交２軸とする二次元座標上に展開してユーザに提示する価格提示手段と、を更に有し、
それにより、指定された２箇所の部品部位の寸法値変動とそれに伴う部品価格の変動との関係を二次元座標上でユーザに明示できる、ことを特徴とする金型部品の電子カタログ装置。
【請求項１３】
二次元座標上に展開される部品価格には、ユーザにより指定された２箇所の部品部位の決定済み寸法値の組み合わせで特定される現在部品価格が含まれ、
価格提示手段は、前記現在部品価格を顕著性を持って提示する、ことを特徴とする請求項１２に記載の金型部品の電子カタログ装置。
【請求項１４】
グラフィカル・ユーザ・インタフェースを介するユーザとの対話を通じて、ユーザが希望する金型部品種並びに寸法値を有する金型部品に相当する金型部品発注用情報を生成する金型部品の電子カタログ装置であって、
予め決められた１若しくは２以上の属性項目に関する属性値と、予め決められた１若しくは２以上の部品部位のそれぞれに関してユーザが選択し得る寸法値とを、一連の金型部品種のそれぞれ毎に記憶させた部品ライブラリと、
部品ライブラリから読み出された各属性項目に関する属性値に基づいてユーザに対して各属性項目に関する属性値選択候補を提示すると共に、各属性項目毎に選択候補の中からユーザにより選択された属性値の組み合わせに基づいて部品ライブラリを検索することにより、ユーザの希望する金型部品種を決定する金型部品種決定手段と、
決定された金型部品種について、部品ライブラリから読み出された各部品部位に関する寸法値に基づいてユーザに対して各部品部位に関する寸法値選択候補を提示すると共に、各部品部位毎に寸法値選択候補の中からユーザにより選択された寸法値を各部品部位毎にユーザの希望する寸法値として特定する寸法値決定手段と、
金型部品種決定手段にて決定された金型部品種と寸法値決定手段にて決定された寸法値とに基づいて金型部品発注用情報を生成する発注用情報生成手段と、を具備し、
金型部品種決定手段にて決定された金型部品種と寸法値決定手段にて決定された寸法値とで特定される１の業者の金型部品と同等の他業者の金型部品を、三次元形状の同一性に基づき検索する手段を更に有し、
それにより、前記１の業者の金型部品の同等他業者部品の情報を提示する、ことを特徴とする金型部品の電子カタログ装置。
【請求項１５】
１の業者の金型部品に対応する金型部品発注用情報を構成する金型部品種の１属性項目である三次元形状項目に着目して、同一の三次元形状属性値を有する他業者の１若しくは２以上の金型部品種を検索する手段と、
検索された１若しくは２以上の金型部品種の中から当該１の業者の金型部品と同一若しくは略同一寸法を有する金型部品種を検索する手段と、を更に含み、
それにより、同一の三次元形状属性値を有しかつ同一若しくは略同一寸法値を有する金型部品種を他業者の同等部品として提示する、ことを特徴とする請求項１４に記載の金型部品の電子カタログ装置。
【請求項１６】
１の業者の金型部品に対応する金型部品発注用情報を構成する金型部品種の１属性項目である三次元形状項目に着目して、同一の三次元形状属性値を有する他業者の１若しくは２以上の金型部品種を検索する手段と、
検索された１若しくは２以上の金型部品種若しくは全ての金型部品種の中から当該１の業者の金型部品と同一若しくは略同一寸法値を有する金型部品種を検索する手段と、を更に有し、
それにより、同一の三次元形状属性値を有しかつ同一若しくは略同一寸法値を有する金型部品種を他業者の同等部品として提示する、ことを特徴とする請求項１４に記載の金型部品の電子カタログ装置。
【請求項１７】
他業者の同等部品として提示された金型部品のうち、ユーザが希望する１又は２以上の金型部品の選択を受け付ける手段を更に有し、
それにより受け付けられた金型部品の金型部品発注用情報が新たに生成される、ことを特徴とする請求項１４乃至１６の何れかに記載の金型部品の電子カタログ装置。
【請求項１８】
三次元形状属性値は、その金型部品種の三次元図形作成手順に基づく属性値である、ことを特徴とする請求項１５乃至１７の何れかに記載の金型部品の電子カタログ装置。
【請求項１９】
三次元形状属性値は、その金型部品種についての三次元ＣＡＤ用ファイルの生成に必要な三次元図形作成手順が記述されたファイルのＩＤ情報である、ことを特徴とする請求項１８に記載の金型部品の電子カタログ装置。
【請求項２０】
グラフィカル・ユーザ・インタフェースを介するユーザとの対話を通じて、ユーザが希望する金型部品種並びに寸法値を有する金型部品に相当する金型部品発注用情報を生成する金型部品の電子カタログ装置であって、
予め決められた１若しくは２以上の属性項目に関する属性値と、予め決められた１若しくは２以上の部品部位のそれぞれに関してユーザが選択し得る寸法値とを、一連の金型部品種のそれぞれ毎に記憶させた部品ライブラリと、
部品ライブラリから読み出された各属性項目に関する属性値に基づいてユーザに対して各属性項目に関する属性値選択候補を提示すると共に、各属性項目毎に選択候補の中からユーザにより選択された属性値の組み合わせに基づいて部品ライブラリを検索することにより、ユーザの希望する金型部品種を決定する金型部品種決定手段と、
決定された金型部品種について、部品ライブラリから読み出された各部品部位に関する寸法値に基づいてユーザに対して各部品部位に関する寸法値選択候補を提示すると共に、各部品部位毎に寸法値選択候補の中からユーザにより選択された寸法値を各部品部位毎にユーザの希望する寸法値として特定する寸法値決定手段と、
金型部品種決定手段にて決定された金型部品種と寸法値決定手段にて決定された寸法値とに基づいて金型部品発注用情報を生成する発注用情報生成手段と、を具備し、
発注用情報生成手段にて順次に生成される１若しくは２以上の金型部品発注用情報を所定記憶領域に保存させる手段と、
所定記憶領域に保存された１発注単位分の金型部品発注用情報に基づいて発注書に変換可能な部品トレイ画面を生成する手段と、
所定記憶領域に保存された１発注単位分の金型部品発注用情報に基づいてＣＳＶ言語にて記述された発注部品リストを生成する手段と、
ユーザからの要求に応じて、前記部品トレイ画面と発注部品リストとのいずれかをユーザに提示する手段とをさらに有し、
それにより、発注書作成に先立ち部品トレイ画面にて発注部品の確認を行う一方、発注部品リストにて発注部品のデータ管理を行うようにした、ことを特徴とする金型部品の電子カタログ装置。
【請求項２１】
グラフィカル・ユーザ・インタフェースを介するユーザとの対話を通じて、ユーザが希望する金型部品種並びに寸法値を有する金型部品に相当する金型部品発注用情報を生成する金型部品の電子カタログ装置であって、
予め決められた１若しくは２以上の属性項目に関する属性値と、予め決められた１若しくは２以上の部品部位のそれぞれに関してユーザが選択し得る寸法値とを、一連の金型部品種のそれぞれ毎に記憶させた部品ライブラリと、
部品ライブラリから読み出された各属性項目に関する属性値に基づいてユーザに対して各属性項目に関する属性値選択候補を提示すると共に、各属性項目毎に選択候補の中からユーザにより選択された属性値の組み合わせに基づいて部品ライブラリを検索することにより、ユーザの希望する金型部品種を決定する金型部品種決定手段と、
決定された金型部品種について、部品ライブラリから読み出された各部品部位に関する寸法値に基づいてユーザに対して各部品部位に関する寸法値選択候補を提示すると共に、各部品部位毎に寸法値選択候補の中からユーザにより選択された寸法値を各部品部位毎にユーザの希望する寸法値として特定する寸法値決定手段と、
金型部品種決定手段にて決定された金型部品種と寸法値決定手段にて決定された寸法値とに基づいて金型部品発注用情報を生成する発注用情報生成手段と、を具備し、
発注用情報生成手段にて順次に生成される１若しくは２以上の金型部品発注用情報を所定記憶領域に保存させる手段と、
所定記憶領域に保存された１発注単位分の金型部品発注用情報に基づいて発注書に変換可能な部品トレイ画面を生成する手段と、
ＣＳＶ言語にて記述された発注部品リストを受け付ける手段と、
受け付けた発注部品リストに含まれる金型部品発注用情報を部品トレイ画面に追加する手段とをさらに有し、
それにより、作成済み発注部品リストに基づき部品トレイ画面を補充して発注書の作成を可能とした、ことを特徴とする金型部品の電子カタログ装置。
【請求項２２】
ＣＳＶ言語にて記述された発注部品リストに含まれる発注コード相当の情報を特定するための、ユーザによる教示を受け付ける手段を有する、ことを特徴とする請求項２１に記載の金型部品の電子カタログ装置。
【請求項２３】
発注部品リストに含まれる発注コードを、部品ライブラリに記憶された金型部品発注用情報と照合する手段を更に有する、ことを特徴とする請求項２１又は２２に記載の金型部品の電子カタログ装置。
【請求項２４】
グラフィカル・ユーザ・インタフェースを介するユーザとの対話を通じて、ユーザが希望する金型部品種並びに寸法値を有する金型部品に相当する金型部品発注用情報を生成する金型部品の電子カタログ装置であって、
予め決められた１若しくは２以上の属性項目に関する属性値と、予め決められた１若しくは２以上の部品部位のそれぞれに関してユーザが選択し得る寸法値とを、一連の金型部品種のそれぞれ毎に記憶させた部品ライブラリと、
部品ライブラリから読み出された各属性項目に関する属性値に基づいてユーザに対して各属性項目に関する属性値選択候補を提示すると共に、各属性項目毎に選択候補の中からユーザにより選択された属性値の組み合わせに基づいて部品ライブラリを検索することにより、ユーザの希望する金型部品種を決定する金型部品種決定手段と、
決定された金型部品種について、部品ライブラリから読み出された各部品部位に関する寸法値に基づいてユーザに対して各部品部位に関する寸法値選択候補を提示すると共に、各部品部位毎に寸法値選択候補の中からユーザにより選択された寸法値を各部品部位毎にユーザの希望する寸法値として特定する寸法値決定手段と、
金型部品種決定手段にて決定された金型部品種と寸法値決定手段にて決定された寸法値とに基づいて金型部品発注用情報を生成する発注用情報生成手段と、を具備し、
金型部品種決定手段にて決定された金型部品種と寸法値決定手段にて決定された寸法値とに基づいて特定される金型部品の三次元ＣＡＤ用ファイルを生成するＣＡＤファイル生成手段がさらに含まれている、ことを特徴とする金型部品の電子カタログ装置。
【請求項２５】
ＣＡＤファイル生成手段が、
予め用意された複数の三次元要素形状のそれぞれを特定するための要素形状識別子と、それらの三次元要素形状の相互位置関係を特定するための相互関係命令語列とを用いて、各金型部品種の三次元形状を１若しくは２以上の三次元要素形状の組み合わせとして定義してなる各金型部品種毎の形状定義ファイルと、
決定された金型部品種の三次元形状と決定された寸法値と既知の寸法値とに基づいて、決定された金型部品の三次元形状に相当する三次元ＣＡＤ用ファイルを生成するＣＡＤファイル生成手段と、
を具備する、請求項２４に記載の金型部品の電子カタログ装置。
【請求項２６】
ＣＡＤファイル生成手段が、
決定された金型部品の三次元形状に含まれる各三次元要素形状のそれぞれの構成を表現する要素形状構成データを生成する構成データ生成手段と、
生成された要素形状構成データのそれぞれを、１のＣＡＤ機種の言語で表現してなる要素形状ＣＡＤデータに変換するＣＡＤデータ変換手段と、
変換により得られた要素形状ＣＡＤデータのそれぞれを形状定義ファイルに含まれる相互関係命令語列にしたがって合成するＣＡＤデータ合成手段と、
を具備する、ことを特徴とする請求項２５に記載の金型部品の電子カタログ装置。
【請求項２７】
ＣＡＤデータ変換手段が、
形状生成に関して１のＣＡＤ機種に固有な情報を設定してなる固有ＣＡＤ情報設定手段と、
要素形状構成データのそれぞれを、固有ＣＡＤ情報設定手段の設定情報を参照して、該当するＣＡＤ機種の言語で表現された要素形状ＣＡＤデータに変換するＣＡＤ機種対応変換手段と、
を具備する、ことを特徴とする請求項２６に載の金型部品の電子カタログ装置。
【請求項２８】
固有ＣＡＤ情報設定手段には、異なるＣＡＤ機種のそれぞれに対応する２以上の固有ＣＡＤ情報が含まれており、かつ
ＣＡＤ機種対応変換手段は、２以上の固有ＣＡＤ情報の中で、指定された固有ＣＡＤ情報を参照して、要素形状構成データのそれぞれを該当するＣＡＤ機種の言語で表現された要素形状ＣＡＤデータに変換する、ことを特徴とする請求項２７に記載の金型部品の電子カタログ装置。
【請求項２９】
形状定義ファイルが、ＸＭＬ等の拡張可能なマークアップ言語により記述されている、請求項２５に記載の金型部品の電子カタログ装置。
【請求項３０】
ネットワークを介して、グラフィカル・ユーザ・インタフェースを有するユーザ端末とデータ送受信を行うための通信手段を更に具備することを特徴とする請求項１乃至２９のいずれかに記載の電子カタログ装置。
【請求項３１】
通信手段は、ＡＳＰ機能を有するＷｅｂサーバである、請求項３０に記載の電子カタログ装置。
【請求項３２】
請求項１乃至請求項３１の何れかに記載の金型部品の電子カタログ装置の各構成手段又は各機能をコンピュータにて実現するためのプログラムが格納された記録媒体。
【請求項３３】
請求項１乃至請求項３１の何れかに記載の金型部品の電子カタログ装置の各構成手段又は各機能をコンピュータにて実現するためのプログラム。